(57)【要約】      （修正有）【課題】擦れによるカードの損傷を生じさせることなく、また出し入れのしにくさを生じさせることなく、一つのポケットに二枚のカードを収納でき、また美観を損なうことなく、より多くのカードを収納できるカードホルダ及び財布を提供する。【解決手段】カードＣを収納するポケット１１１（第１のポケット１１１ａ）を形成する複数枚の仕切り部材１０２（中間仕切り部材及び表面仕切り部材）に第２のポケット１１１ｂを形成し、カードＣの収納可能枚数を増やす。第２のポケット１１１ｂは、両側部分１０２ｂｓと下端部分１０２ｌｅとを固定した表側部材と裏側部材との間に形成され、第１のポケット１１１ａとは明確に区分けされ、しかもさほど窮屈なくカードＣを出し入れすることができ、なおかつ容易にカードＣが脱落しないように製作される。【選択図】図１
0003206018.tif 000002
【実用新案登録請求の範囲】
【請求項１】
カードの両側縁から両側部分がはみ出す大きさを有する複数枚の仕切り部材と、
上端を順にずらされて両側部分と下端部分とを互いに固定された前記仕切り部材によって段状に複数個設けられ、一枚のカードを収納して保持する第１のポケットと、
前記仕切り部材が表側部材と裏側部材とに分離されて設けられ、一枚のカードを収納して保持する第２のポケットと、
を備えることを特徴とするカードホルダ。
【請求項２】
前記第２のポケットの底部は、その背後に隣接する前記第１のポケットの底部よりも低い位置に配置されている、
ことを特徴とする請求項１に記載のカードホルダ。
【請求項３】
前記第２のポケットを形成する前記仕切り部材の表側部材と裏側部材との上縁は、前記第１のポケットの間の段差の半分よりも小さなずれをもって前記表側部材の方が低い位置に配置されている、
ことを特徴とする請求項１又は２に記載のカードホルダ。
【請求項４】
前記仕切り部材の表側部材と裏側部材との上縁位置のずれによって当該裏側部材に生ずる外部に露出する部分は、前記仕切り部材とは異なる色彩を有している、
ことを特徴とする請求項３に記載のカードホルダ。
【請求項５】
最裏面側と最表面側との間に挟まれた中間に位置する前記仕切り部材の少なくとも一枚は、上端部分以外の領域が内側に狭められた形状を有している、
ことを特徴とする請求項１ないし４のいずれか一に記載のカードホルダ。
【請求項６】
前記中間に位置する仕切り部材の内側に狭められた形状を有する領域は、他の前記仕切り部材と固定されていない、
ことを特徴とする請求項５に記載のカードホルダ。
【請求項７】
紙幣を収納する札入れと、
請求項１ないし６のいずれか一に記載のカードホルダと、
を備えることを特徴とする財布。
【考案の詳細な説明】
【技術分野】
【０００１】
本考案は、各種のカードを収納して保持するカードホルダ、及びカードホルダ付きの財布に関する。
【背景技術】
【０００２】
従来、複数枚のカードを収納して保持できるようにしたカードホルダが広く普及している。
このようなカードホルダは、例えば特許文献１に示されているように単体として成り立つだけでなく、特許文献２に例示されているように、財布の一部に組み込まれた形態となっていることも多い。
【０００３】
カードホルダに収められるカードとして一般的なものは、クレジットカードやキャッシュカード、磁気カード、運転免許証、各種の会員カードや診察券などである。
これらのカードはその種類に応じてサイズが規格化されており、例えば、
クレジットカードやキャッシュカードなどは８５．６ｍｍ（横）×５３．９８ｍｍ（縦）×０．７６ｍｍ（厚み）、
定期券やパスネット（登録商標）などの磁気カードは８５ｍｍ（横）×５７．５ｍｍ（縦）×０．２５ｍｍ（厚み）、
運転免許証は８５．６ｍｍ（横）×５４ｍｍ（縦）×０．７６ｍｍ（厚み）
となっている。
こうして見ると、縦寸法と厚み寸法はまちまちであるものの、横寸法はその差僅か０．６ｍｍ程度と近似した値を採ることがわかる。
【０００４】
そこでカードホルダのポケットは、これらのカードのいずれであっても、さほど窮屈なく出し入れができ、なおかつ容易に脱落しないような寸法で製作されるのが一般的である。
【特許文献１】特開２０１５−１８８７４１号公報
【特許文献２】特開２００２−１７２０１０号公報
【考案の開示】
【考案が解決しようとする課題】
【０００５】
カードホルダのポケットは、本来的に一枚のカードを収納して保持するように作られている。
ところがカードをあわてて仕舞うようなとき、既にカードが収納されているポケットに重ねて別のカードを仕舞いこんでしまうようなことがある。
あるいはカードホルダのポケットの個数を越える枚数のカードを日常的に持ち歩き、意図的に二枚以上のカードを一つのポケットに仕舞い込むような人々も珍しくない。とりわけ磁気カードは厚みが薄いため、重ね収納の標的にされやすい。
【０００６】
ところが一つのポケットに二枚以上のカードを無理に押し込むと、カードが擦れて痛んでしまったり、厚みが厚くなりすぎて取り出しにくくなってしまったりするという問題が生ずる。
重ねて仕舞ったカードが取り出しにくくなるのは、前述しように、カードホルダのポケットは、本来的に一枚のカードを収納して保持するように作られているからである。
したがって厚さ０．２５ｍｍの磁気カードを二枚重ね収納する程度ならばともかく、厚さ０．７６ｍｍのカードを二枚重ねしてしまった場合はもとより、厚さ０．７６ｍｍのカードに厚さ０．２５ｍｍの磁気カードを重ねて収納した場合であっても、その取り出しが難儀になってしまう。
【０００７】
そこでポケットの数を増やすことも考えられるが、この場合には外観上ポケットだらけになり、はなはだ美観が悪い。
美観が需要の拡大を喚起することはいうまでもないことなので、技術的側面からの解決が求められる。
【０００８】
なお特許文献２は、カードの損傷防止について言及するが、一つのポケットに二枚以上のカードが無理に押し込まれる事態については想定しておらず、このような場合に生ずるカードの損傷については無力である。
【０００９】
本考案の目的は、擦れによるカードの損傷を生じさせることなく、また出し入れのしにくさを生じさせることなく、一つのポケットに二枚のカードを収納できるようにすることである。
本考案の別の目的は、美観を損なうことなく、より多くのカードを収納できるようにすることである。
【課題を解決するための手段】
【００１０】
請求項１の考案のカードホルダは、カードの両側縁から両側部分がはみ出す大きさを有する複数枚の仕切り部材と、上端を順にずらされて両側部分と下端部分とを互いに固定された前記仕切り部材によって段状に複数個設けられ、一枚のカードを収納して保持する第１のポケットと、前記仕切り部材が表側部材と裏側部材とに分離されて設けられ、一枚のカードを収納して保持する第２のポケットとを備えることによって上記課題を解決する。
したがってポケット（第１のポケット）の数が増えていないのにもかかわらず、第２のポケットにもカードが収納されて保持される。
【００１１】
請求項２の考案は、請求項１に記載のカードホルダにおいて、前記第２のポケットの底部は、その背後に隣接する前記第１のポケットの底部よりも低い位置に配置されている。
したがって第１のポケットに収納されたカードは、その直ぐ手前で第２のポケットに収納されたカードに隠されることがない。
【００１２】
請求項３の考案は、請求項１又は２に記載のカードホルダにおいて、前記第２のポケットを形成する前記仕切り部材の表側部材と裏側部材との上縁は、前記第１のポケットの間の段差の半分よりも小さなずれをもって前記表側部材の方が低い位置に配置されている。
したがって仕切り部材の裏側部材の上端部分が露出するため、第２のポケットにカードを収納するに際して、露出した裏側部材がカードを案内する機能を果たす。
また露出した裏側部材によって、第２のポケットがあること、第２のポケットに対するカードの収納の有無が視覚的に示される。
【００１３】
請求項４の考案は、請求項３に記載のカードホルダにおいて、前記仕切り部材の表側部材と裏側部材との上縁位置のずれによって当該裏側部材に生ずる外部に露出する部分は、前記仕切り部材とは異なる色彩を有している。
したがって裏側部材の露出部分が際立つ。
【００１４】
請求項５の考案は、請求項１ないし４のいずれか一に記載のカードホルダにおいて、最裏面側と最表面側との間に挟まれた中間に位置する前記仕切り部材の少なくとも一枚は、上端部分以外の領域が内側に狭められた形状を有している。
したがって仕切り部材の両側部分の積層厚みが薄くなる。
【００１５】
請求項６の考案は、請求項５に記載のカードホルダにおいて、前記中間に位置する仕切り部材の内側に狭められた形状を有する領域は、他の前記仕切り部材と固定されていない。
したがってその内側に狭められた領域を有しない部分によって仕切り部材の両側の固定が果たされる。
【００１６】
請求項７の考案の財布は、紙幣を収納する札入れと、請求項１ないし６のいずれか一に記載のカードホルダとを備えることによって上記課題を解決する。
したがって請求項１ないし６のいずれか一に記載のカードホルダの作用を奏する。
【考案の効果】
【００１７】
請求項１の考案によれば、第２のポケットを形成する仕切り部材の表側部材と裏側部材とは隣接する第１のポケットとの間の領域を区画し、またこれらの第１及び第２のポケットは共にカードを収納して保持するのに適した大きさに形成することができるので、擦れによるカードの損傷を生じさせることなく、また出し入れのしにくさを生じさせることなく、一つに見えるポケットに二枚のカードを収納することができ、また外観上ポケットとして認識される第１のポケットの数を増やすことなく、外観上はポケットとして認識されにくい第２のポケットにもカードを収納することができるので、美観を損なうことなく、より多くのカードを収納することができる。
【００１８】
請求項２の考案によれば、第１のポケットに収納されたカードを、その直ぐ手前で第２のポケットに収納されたカードに隠されることがないようにすることができ、したがって第１及び第２のポケットのいずれに収納したカードであっても、その視覚的な確認を可能にすることができ、カードの見やすさの向上とカードの死蔵化の防止とを図ることができる。
【００１９】
請求項３の考案によれば、仕切り部材の裏側部材の上端部分を露出させることができ、したがって第２のポケットにカードを収納するに際して、露出した裏側部材がカードの案内機能を果たすためにカード収納作業の容易化を図ることができ、また露出した裏側部材によって第２のポケットがあることと第２のポケットに対するカードの収納の有無とを視覚的に示すことができ、したがってそれらの事実を使用者に容易に認識させることができる。
【００２０】
請求項４の考案によれば、裏側部材の露出部分を際立たせることができ、請求項３の発明の効果をより一層促進することができる。
【００２１】
請求項５の考案によれば、仕切り部材の両側部分の積層厚みを薄くすることができ、仕切り部材に表側部材と裏側部材とを設けることによって生ずる全体の厚みの増加という不利益を極力減少させることできる。
【００２２】
請求項６の考案によれば、中間に位置する仕切り部材の内側に狭められた形状を有する領域に関しては、固定のための部材と労力とを省略することができるので、請求項５の発明の効果をより一層促進することができ、しかも部品コストの減少と製造の容易化とを図ることもできる。
【００２３】
請求項７の考案によれば、第２のポケットを形成する仕切り部材の表側部材と裏側部材とは隣接する第１のポケットとの間の領域を区画し、またこれらの第１及び第２のポケットは共にカードを収納して保持するのに適した大きさに形成することができるので、擦れによるカードの損傷を生じさせることなく、また出し入れのしにくさを生じさせることなく、一つに見えるポケットに二枚のカードを収納することができ、また外観上ポケットとして認識される第１のポケットの数を増やすことなく、外観上はポケットとして認識されにくい第２のポケットにもカードを収納することができるので、美観を損なうことなく、より多くのカードを収納することができる。
【図面の簡単な説明】
【００２４】
【図１】実施の一形態を示すカードホルダ付き財布の斜視図。
【図２】カードホルダの一部を分解して示す斜視図。
【図３】変形例を示すカードホルダ付き財布の斜視図。
【考案を実施するための最良の形態】
【００２５】
実施の一形態を図１及び図２に基づいて説明する。
本実施の形態は、二つ折り財布への適用例である。
【００２６】
図１、図２に示すように、本実施の形態のカードホルダ１０１は、カードＣの両側縁Ｃ１から両側部分がはみ出す大きさを有する複数枚の仕切り部材１０２と、上端を順にずらされて両側部分と下端部分とを互いに固定された仕切り部材１０２によって段状に複数個設けられ、一枚のカードＣを収納して保持する第１のポケット１１１ａと、仕切り部材１０２が表側部材Ｆと裏側部材Ｂとに分離されて設けられ、一枚のカードＣを収納して保持する第２のポケット１１１ｂとを備えている。
第２のポケット１１１ｂの底部は、その背後に隣接する第１のポケット１１１ａの底部よりも低い位置に配置されている。
第２のポケット１１１ｂを形成する仕切り部材１０２の表側部材Ｆと裏側部材Ｂとの上縁は、第１のポケット１１１ａの間の段差の半分よりも小さなずれをもって表側部材Ｆの方が低い位置に配置されている。
仕切り部材１０２の表側部材Ｆと裏側部材Ｂとの上縁位置のずれによって当該裏側部材Ｂに生ずる外部に露出する部分は、仕切り部材１０２とは異なる色彩を有している。
図２に示すように、最裏面側と最表面側との間に挟まれた中間に位置する仕切り部材１０２Ｍ１，１０２Ｍ２の少なくとも一枚は、上端部分以外の領域が内側に狭められた形状を有している。
図２に示すように、中間に位置する仕切り部材１０２Ｍ１，１０２Ｍ２の内側に狭められた形状を有する領域は、他の仕切り部材１０２と固定されていない。
図１、図３に示すように、本実施の形態の財布１１は、紙幣を収納する札入れ５１と、上記カードホルダ１０１とを備えている。
【００２７】
図１に示すように、財布１１は二区画に分割された札入れ５１を備え、中央部分の折畳み部１２で折り畳まれて二つ折りの形態を維持する。
折り畳まれたときに内側となる部分には、複数枚のカードＣを収納して保持する一対のカードホルダ１０１が設けられている。これらのカードホルダ１０１は、財布１１が折り畳まれた状態で相対向する。
【００２８】
このような財布１１の基本形態を形成するのは、ベース部材１３である。
ベース部材１３は底部１４で折り返され、折り返された一片側を外側基部１５、別の一片側を内側基部１６としている。
折畳み部１２で折り畳まれて二つ折りにされたときに外側となり、財布１１の外表面をなすのが外側基部１５である。内側基部１６は内側に折り畳まれ、一対のカードホルダ１０１を介して相対向する。
外側基部１５は一枚の表皮材で形成されるのに対して、内側基部１６は三つの部位が結合されて形成されている。つまりベース部材１３は外側基部１５からその短手方向に延出する一対の仕切り基部材１０２Ｂを備え、これらの仕切り基部材１０２Ｂが中央連結部材１７で連結され、これによって内側基部１６が形成されるわけである。
【００２９】
外側基部１５と内側基部１６とは底部１４で折り返され、折り返された内側に紙幣（図示せず）を収納する札入れ５１を形成する。札入れ５１は仕切り部材１８で仕切られ、二区画に分割される。
そして折り返された外側基部１５と内側基部１６との側方部分は側方連結部材１９で連結され、これによって財布１１の基本形態が完成する。
【００３０】
カードホルダ１０１について説明する。
カードホルダ１０１は、それぞれ三個のポケット１１１を備え、これらのポケット１１１にカードＣを収納する。カードホルダ１０１は左右二箇所に分割されているので、合計六個のポケット１１１を有し、これらのポケット１１１に六枚のカードＣを収納することができる。
左右一対のそれぞれのカードホルダ１０１において、三個のポケット１１１は上下方向に位置をずらして配列されている。
もっともここでいうポケット１１１は第１のポケット１１１ａであり、これらの第１のポケット１１１ａの他に、カードホルダ１０１は左右三個ずつで合計六個の第２のポケット１１１ｂを備えている。これらの第２のポケット１１１ｂは外観上、ポケット１１１には見えにくい態様で形成されている。
【００３１】
図１及び図２に示すように、カードホルダ１０１は、カードＣの両側縁Ｃ１から両側部分１０２ｂｓがはみ出す大きさを有する複数枚の仕切り部材１０２が積層され、その両側部分１０２ｂｓと下端部分１０２ｌｅとが互いに固定されて形成されている。
これらの仕切り部材１０２のうち、基部をなすのは前述した一対の仕切り基部材１０２Ｂである。つまり仕切り基部材１０２Ｂは、内側基部１６の一要素であるとともに、カードホルダ１０１の一要素でもあるわけである。
このような仕切り基部材１０２Ｂの上に二枚の中間仕切り部材１０２Ｍ１，１０２Ｍ２が積層され、さらに表面仕切り部材１０２Ｆが積層されることで、カードホルダ１０１が形成される。
【００３２】
こうして形成されるカードホルダ１０１において、第１のポケット１１１ａは、個々の仕切り部材１０２の間の部分に形成されている。
仕切り基部材１０２Ｂと中間仕切り部材１０２Ｍ１との間の部分、二枚の中間仕切り部材１０２Ｍ１，１０２Ｍ２の間の部分、中間仕切り部材１０２Ｍ２と表面仕切り部材１０２Ｆとの間の部分の三箇所である。
これに対して第２のポケット１１１ｂを形成するのは、二枚の中間仕切り部材１０２Ｍ１，１０２Ｍ２、及び表面仕切り部材１０２Ｆである。
中間仕切り部材１０２Ｍ１，１０２Ｍ２と表面仕切り部材１０２Ｆとは、表側部材Ｆと裏側部材Ｂとから形成されており、表側部材Ｆと裏側部材Ｂとの間の空間に第２のポケット１１１ｂを形成している。
以上説明した第１のポケット１１１ａ及び第２のポケット１１１ｂのいずれも、さほど窮屈なくカードＣを出し入れすることができ、なおかつ容易にカードＣが脱落しないような寸法で形成されている。
【００３３】
本実施の形態は、カードホルダ１０１に様々な工夫を盛り込んでいる。
以下、これらの工夫の数々を紹介する。
【００３４】
最初に紹介するのは、個々の仕切り部材１０２（仕切り基部材１０２Ｂ、中間仕切り部材１０２Ｍ１，１０２Ｍ２、表面仕切り部材１０２Ｆ）の両側部分１０２ｂｓの固定構造である。
図２は、一方の中間仕切り部材１０２Ｍ２の一部（図中の左側部分）と表面仕切り部材１０２Ｆとを剥離した状態を示している。
図２からわかるように、一対の中間仕切り部材１０２Ｍ１，１０２Ｍ２の両側部分１０２ｂｓは、上端部分１０２ｕｅ以外の領域が内側に狭められた形状を有している。
したがって最裏面側に位置する仕切り基部材１０２Ｂと最表面側に位置する表面仕切り部材１０２Ｆとは、一対の中間仕切り部材１０２Ｍ１，１０２Ｍ２よりも両側部分１０２ｂｓが左右に広がっている。
そこで個々の仕切り部材１０２の両側部分１０２ｂｓを接合するに際しては、仕切り基部材１０２Ｂと表面仕切り部材１０２Ｆとは全面的に接合し、一対の中間仕切り部材１０２Ｍ１，１０２Ｍ２は上端部分１０２ｕｅのみを接合する。
【００３５】
つぎに紹介するのは、第２のポケット１１１ｂとその背後に隣接する第１のポケット１１１ａとの間の底部の高さの設定についてである。
個々のポケット１１１の底部の高さは、個々の仕切り部材１０２（仕切り基部材１０２Ｂ、中間仕切り部材１０２Ｍ１，１０２Ｍ２、表面仕切り部材１０２Ｆ）の下端部分１０２ｌｅの固定位置によって決定される。
そこで本実施の形態では、第２のポケット１１１ｂの底部を、その背後に隣接する第１のポケット１１１ａの底部よりも低い位置に配置している。
【００３６】
つぎに紹介するのは、第２のポケット１１１ｂを形成する仕切り部材１０２（中間仕切り部材１０２Ｍ１，１０２Ｍ２、表面仕切り部材１０２Ｆ）の表側部材Ｆと裏側部材Ｂとの上縁の高さ設定についてである。
本実施の形態では、表側部材Ｆの上縁の方を裏側部材Ｂの上縁よりもやや低い位置に位置付けている。この場合、第１のポケット１１１ａの間の段差の半分よりも小さなずれをもって表側部材Ｆの上縁を裏側部材Ｂの上縁よりも低い位置にずらすことが好ましいが、部材の縁部に施す一般的な玉縁と同程度の幅をもって両者の高さ位置をずらすことがより好ましい。
本実施の形態では、表側部材Ｆと裏側部材Ｂとの上縁位置のずれによって裏側部材Ｂに生ずる外部に露出する部分には、仕切り部材１０２とは異なる色彩が施されている。
【００３７】
以上説明したカードホルダ１０１を付属する財布１１を製造するには、各種の材料を適宜用いることができる。
例えば全体を天然皮革や合成皮革などで仕上げてもよいし、天然皮革や合成皮革などの採用は外部から視認で切る部分に留め、視認できない部分にはより安価な布地を用いるようにしてもよい。
また仕切り部材１０２をはじめとする各部の接合は、接着剤を用いて行ってもよいし、縫製によって行ってもよい。
【００３８】
このような構成において、カードホルダ１０１においては、第１のポケット１１１ａのみらならず、第２のポケット１１１ｂにもカードＣを収納することができる。
この際、第２のポケット１１１ｂを形成する仕切り部材１０２の表側部材Ｆと裏側部材Ｂとは、隣接する第１のポケット１１１ａとの間の領域を区画するので、擦れによるカードＣの損傷を防止することができる。
また第１のポケット１１１ａ及び第２のポケット１１１ｂは共に、カードＣを収納して保持するのに適した大きさに形成することができるので、出し入れのしにくさを生じさせることなく、一つに見えるポケット１１１に二枚のカードを収納することができる。
また外観上ポケット１１１として認識される第１のポケット１１１ａの数を増やすことなく、外観上はポケット１１１として認識されにくい第２のポケット１１１ｂにもカードＣを収納することができるので、美観を損なうことなく、より多くのカードＣを収納することができる。
【００３９】
本実施の形態によれば、第２のポケット１１１ｂの底部は、その背後に隣接する第１のポケット１１１ａの底部よりも低い位置に配置されているので、第１のポケット１１１ａに収納されたカードＣを、その直ぐ手前で第２のポケット１１１ｂに収納されたカードＣに隠されることがないようにすることができる。
したがって第１のポケット１１１ａと第２のポケット１１１ｂとのいずれに収納したカードＣであっても、その視覚的な確認を可能にすることができ、カードＣの見やすさの向上とカードＣの死蔵化の防止とを図ることができる。
【００４０】
本実施の形態によれば、第２のポケット１１１ｂを形成する仕切り部材１０２の表側部材Ｆと裏側部材Ｂとの上縁は、僅かなずれをもって表側部材Ｆの方が低い位置に配置されているので、裏側部材Ｂの上端部分を露出させることができる。
そこで第２のポケット１１１ｂにカードＣを収納するに際して、露出した裏側部材ＢがカードＣの案内機能を果たすために、カードＣを収納する作業の容易化を図ることができる。
また裏側部材Ｂに外部に露出する部分が生ずるために、第２のポケット１１１ｂがあることや、第２のポケット１１１ｂに対するカードＣの収納の有無を視覚的に示すことができ、それらの事実を使用者に容易に認識させることができる。
この場合、裏側部材Ｂの外部に露出する部分には仕切り部材１０２と異なる色彩が施されているため、露出部分を際立たせることができ、上記効果をより一層促進することができる。
【００４１】
本実施の形態によれば、中間仕切り部材１０２Ｍ１，１０２Ｍ２の両側部分１０２ｂｓは、上端部分１０２ｕｅ以外の領域が内側に狭められた形状を有している。
したがって仕切り部材１０２の両側部分１０２ｂｓの積層厚みを薄くすることができ、仕切り部材１０２に第２のポケット１１１ｂを設けることによって生ずる全体の厚みの増加という不利益を極力減少させることできる。
しかも中間仕切り部材１０２Ｍ１，１０２Ｍ２の両側部分１０２ｂｓのうち、内側に狭められた上端部分１０２ｕｅ以外の領域は他の仕切り部材１０２（仕切り基部材１０２Ｂ、表面仕切り部材１０２Ｆ）に固定しないので、その部分に関しては固定のための部材（接着剤、縫製糸など）と労力とを省略することができ、部品コストの減少と製造の容易化とを図ることもできる。
【００４２】
実施に際しては、各種の変形や変更が可能である。
例えば図３に例示するように、長財布への適用も可能である。
図３に例示する財布１１は、紙幣（図示せず）を収納する札入れ５１とカードホルダ１０１とを有する面と、カードホルダ１０１のみを有する面とを有し、これらの二面を開閉して使用することができる。
カードホルダ１０１は、図１及び図２に示した上記構造と同様の構造を有している。
【産業上の利用可能性】
【００４３】
本考案は、カードホルダや財布の分野に適用することができるので、産業上の利用可能性を有している。
【符号の説明】
【００４４】
１１  ・・・財布
５１  ・・・札入れ
１０１  ・・・カードホルダ
１０２  ・・・仕切り部材
１１１ａ・・・第１のポケット
１１１ｂ・・・第２のポケット
Ｆ  ・・・表側部材
Ｂ  ・・・裏側部材
【図１】
0003206018.tif 000003
【図２】
0003206018.tif 000004
【図３】
0003206018.tif 000005